(57)【要約】【課題】被空調室内の状況に応じてドレンパンの左右方向の傾きを簡単な作業により変更できて、左右いずれかの側面から排水管接続ができる空調用室内機が望まれている。【解決手段】この空調用室内機は、内部に通風路が形成された本体ケーシング３０と、本体ケーシング３０の通風路内に配備されて空気との間で熱交換を行なう熱交換器１０と、通風路内で熱交換器１０の下方位置に配備されて熱交換器１０からのドレン水を収受するドレンパン１と、を有して成る空調用室内機において、ドレンパン１の左右端部にそれぞれ形成されたドレン排出口部と、ドレンパン１を左右方向に傾斜自在に支持するビス１５と、ビス１５により左右いずれかの方向に傾いて支持されたドレンパン１をその傾斜状態に固定する固定手段と、を備えているものである。【選択図】図１
2013019631.tif 000002
【特許請求の範囲】
【請求項１】
内部に通風路が形成された箱状の本体ケーシングと、前記本体ケーシングの通風路内に配備されて空気との間で熱交換を行なう熱交換器と、前記通風路内で前記熱交換器の下方位置に配備されて前記熱交換器からのドレン水を収受するドレンパンと、を有して成る空調用室内機において、
前記ドレンパンの左右端部にそれぞれ形成されたドレン排出口部と、
前記ドレンパンを左右方向に傾斜自在に支持する支持手段と、
前記支持手段により左右いずれかの方向に傾いて支持された前記ドレンパンをその傾斜状態に固定する固定手段と、を備えていることを特徴とする空調用室内機。
【請求項２】
支持手段が、本体ケーシングに対しドレンパンを略水平軸心回りに回動自在に支持する枢軸部材で構成されている請求項１に記載の空調用室内機。
【請求項３】
固定手段が、本体ケーシングを構成する左右のサイドパネルにそれぞれ形成されていて、ドレンパンの左右のドレン排出口部を上下移動自在に挿通する縦長穴と、
前記縦長穴を被った状態で前記サイドパネルに着脱自在に取り付けられるアタッチメントパネルと、
前記アタッチメントパネルに形成されていて、前記サイドパネルの縦長穴から突出した前記ドレンパンのドレン排出口部を係止する係止穴とから構成され、
前記アタッチメントパネルにおける係止穴の位置は、傾斜したドレンパンの下がり側にあるドレン排出口部を係止可能な位置であることを特徴とする請求項１または請求項２に記載の空調用室内機。
【請求項４】
ドレンパンの左右の側面壁の外面、または、本体ケーシングの左右のサイドパネルの内面にシール用弾性部材を貼設することにより、ドレンパンの左側面壁と本体ケーシングの左サイドパネルとの間、および、ドレンパンの右側面壁と本体ケーシングの右サイドパネルとの間をそれぞれ封止する止水構造を備えている請求項１から請求項３までのいずれか一項に記載の空調用室内機。
【発明の詳細な説明】
【技術分野】
【０００１】
この発明は、被空調室内に設置されて冷暖房を行う空調用室内機に係り、搭載している熱交換器等で生じた水を収受して機外へ排水するためのドレンパンを備えた空調用室内機に関するものである。
【背景技術】
【０００２】
従来、この種の空調用室内機は、例えば下記の特許文献１に記載されたものが知られている。この文献記載の空調用室内機は、内部に通風路が形成された本体ケーシングと、本体ケーシングの通風路内に配備されて空気との間で熱交換を行なう熱交換器と、通風路内で熱交換器の下方位置に配備されて熱交換器からのドレン水を収受するドレンパンとを有している。このような空調用室内機においては、本体ケーシング内で生じたドレン水を外部に排水するために、ドレンパンに勾配をつけて水の流れを確保するようになっている。また、ドレンパンに接続される接続配管は、被空調室内に設置された本体ケーシングの左右側面から取り出されるのが一般的となっている。
【０００３】
現状において、空調用室内機のドレンパンを左右に傾けて勾配をつける手順としては、（１）ドレンパンの上方に位置していて本体ケーシング背面の空気吸込み口を覆っている吸込みガードを取り外す。（２）ドレンパンを本体ケーシングに固定している左右のネジのうち、下向きに傾斜させる側のネジを取り外す。（３）ネジを外した側にドレンパンを下向きに約１０ｍｍ押し下げる。（４）１０ｍｍ下にも固定用下穴が設けられているので、その固定用下穴に、外したネジを再度取り付ける。（５）空気吸込み口に吸込みガードを再度取り付ける。
といった、５つの作業（１）〜（５）により行なわれている。
【先行技術文献】
【特許文献】
【０００４】
【特許文献１】特開２０１０−１１７１０５号公報
【発明の概要】
【発明が解決しようとする課題】
【０００５】
上述したように、従来の空調用室内機は、（１）〜（５）の作業を実施する必要があるため、作業性が悪いという問題点があった。また、勾配をつけ忘れた場合はドレンパンが水平となるため、排水不良のおそれや、ドレンパン内の溜水部にスライムが発生するおそれがあった。
【０００６】
この発明は、上記のような課題を解決するためになされたものであり、被空調室内の状況に応じてドレンパンの左右方向の傾きを簡単な作業により変更できて、左右いずれかの側面から排水管接続ができる空調用室内機を提供することを目的とする。
【課題を解決するための手段】
【０００７】
上記目的を達成するために、この発明に係る空調用室内機は、内部に通風路が形成された本体ケーシングと、本体ケーシングの通風路内に配備されて空気との間で熱交換を行なう熱交換器と、通風路内で熱交換器の下方位置に配備されて熱交換器からのドレン水を収受するドレンパンと、を有して成る空調用室内機において、ドレンパンの左右端部にそれぞれ形成されたドレン排出口部と、ドレンパンを左右方向に傾斜自在に支持する支持手段と、支持手段により左右いずれかの方向に傾いて支持されたドレンパンをその傾斜状態に固定する固定手段と、を備えていることを特徴とするものである。
【発明の効果】
【０００８】
この発明の空調用室内機は、ドレンパンの左右端部のドレン排出口部と、ドレンパンを左右方向に傾斜自在に支持する支持手段を備えているので、支持手段によりドレンパンをシーソーの様に左右いずれかの方向へ傾けることができる。そして、左右いずれかの方向に傾いて支持されたドレンパンを、固定手段がその傾斜状態に固定する。従って、排水配管接続の作業性が大幅に改善される。また、ドレンパンを必ず左右に傾けるようにしたことで、ドレンパンが水平となることを防止でき、排水不良や溜水部へのスライム発生を抑止できるという効果を有する。
【図面の簡単な説明】
【０００９】
【図１】この発明の実施の形態における空調用室内機であってフロント下パネルを取り外した状態の正面図である。
【図２】図１の空調用室内機における左側面図である。
【図３】図１の空調用室内機における右側面図である。
【図４】図１の空調用室内機における正面側斜視図である。
【図５】図１の空調用室内機における背面側斜視図である。
【図６】この発明の実施の形態における空調用室内機に用いるドレンパンの斜視図である。
【図７】前記ドレンパンに用いるドレンキャップの拡大斜視図である。
【図８】図１におけるＡ−Ａ線矢視断面図である。
【図９】前記空調用室内機のドレンパンに左下がり勾配がつけられている状態を示す部分拡大正面図である。
【図１０】ドレンパン左下がり状態で右サイドパネルにアタッチメントパネルを取り付ける態様を示す部分拡大斜視図である。
【図１１】図２の空調用室内機における円Ｂ内を示す部分拡大図である。
【図１２】図３の空調用室内機における円Ｃ内を示す部分拡大図である。
【発明を実施するための形態】
【００１０】
実施の形態１．
図１〜図８は本発明の実施形態における空調用室内機の全体構成または各部構成を示したものである。
各図において、この実施形態に係る空調用室内機は、例えば直方箱状に形成された本体ケーシング３０を備えている。この本体ケーシング３０は、左サイドパネル２と、右サイドパネル３と、左サイドパネル２および右サイドパネル３のそれぞれの後部に連結される後ろ下パネル１２、後ろ中パネル１３および後ろ上パネル１４と、左サイドパネル２、右サイドパネル３および後ろ上パネル１４のそれぞれの上部に支持される天パネル１１と、フロント上パネル９と、フロント上パネル９の下方に配置されるフロント下パネル（図示省略）と、底台枠５とから構成されている。これらの、左サイドパネル２、右サイドパネル３、後ろ下パネル１２、後ろ中パネル１３、後ろ上パネル１４、フロント上パネル９、フロント下パネル（図示省略）、天パネル１１、および底台枠５は、それぞれの間に例えば支柱材や横枠材を適宜介在させてビスなどで固定されている。
【００１１】
本体ケーシング３０内は、ケーシング背面下部の空気吸込み口６と天パネル１１の空気吹出し口３１とを連通する通風路になっている。この通風路内には、汎用の空調用冷媒回路（図示省略）の一構成部品である熱交換器１０が、前側を高くした傾斜配置で設置されている。この熱交換器１０を境に、本体ケーシング３０内の通風路が空気入側の１次側空間と空気出側の２次側空間とに区画されている。本体ケーシング３０の通風路内の上部、例えば天パネル１１の下面に、シロッコファンなどの送風機およびモータ（いずれも図示省略）が配備されている。前記した送風機は、室内空気を空気吸込み口６から吸い込んで熱交換器１０を通過させ、熱交換器１０で空気調和された空気を空気吹出し口３１から室内に吹き出すようになっている。そして、本体ケーシング３０の通風路内で熱交換器１０の下方位置には、熱交換器１０の表面で結露して滴下したドレン水を収受するドレンパン１が配備されている。このドレンパン１は、平面視で略長方形状の底面部１Ｃと、底面部１Ｃの周囲四辺に立設された前面壁１Ｄ、左側面壁１Ａ、右側面壁１Ｂ、および背面壁１Ｅとから、角皿状に形成されている。
【００１２】
そして、この空調用室内機では、ドレンパン１の左側面壁１Ａに外向きに突出して形成された排出口２２（ドレン排出口部）と、外向きに突出して形成された排出口２３（ドレン排出口部）とを備えている。排出口２２，２３はこれらの内周面に形成された雌ネジ部に、ドレンキャップ７（ドレン排出口部）が螺止されて密閉される。このようにドレンパン１に取り付けられたドレンキャップ７は円柱形のプラグであり、本体ケーシング３０の右サイドパネル２の縦長穴２０から機外へ突出するようになっている。また、ドレンパン１を左右方向に傾斜自在に支持する２つの支持手段２８Ａ，２８Ｂと、これらの支持手段２８Ａ，２８Ｂにより左右いずれかの方向に傾いて支持されたドレンパン１をその傾斜状態に固定する固定手段２９を備えている。これら２つの支持手段２８Ａ，２８Ｂにより、ドレンパン１がシーソーの様に左右に揺動自在となっている。
【００１３】
支持手段２８Ａは、本体ケーシング３０に対しドレンパン１を略水平軸心Ｈ１回りに回動自在に支持するビス（枢軸部材）１５と、底台枠５の前側左右中央部に立設された支柱４の上部に形成されてビス１５を回動自在に支持する枢支穴２７と、枢支穴２７を通されたビス１５を螺止するためにドレンパン１の前面壁１Ｄに形成された雌ネジ穴３３とから構成されている。同様に、支持手段２８Ｂは、ドレンパン１を略水平軸心Ｈ１回りに回動自在に支持するビス（枢軸部材）１６と、後ろ下パネル１２の上側左右中央部に形成されてビス１６を回動自在に支持する枢支穴３２と、枢支穴３２を通されたビス１６を螺止するためにドレンパン１の背面壁１Ｅに形成された雌ネジ穴３４とから構成されている。
【００１４】
固定手段２９は、本体ケーシング３０の右サイドパネル２と左サイドパネル３とにそれぞれ形成されていて、ドレンパン１の左右の排出口２２，２３に装着されたドレンキャップ７を上下移動自由に挿通する縦長穴２１と、縦長穴２１を被った状態で右サイドパネル２または左サイドパネル３に着脱自在に取り付けられるアタッチメントパネル８と、アタッチメントパネル８に形成されていて、右サイドパネル２の縦長穴２０または左サイドパネル３の縦長穴２１から突出した排出口２２，２３のドレンキャップ７を係止する係止穴２４と、から構成されている。尚、アタッチメントパネル８における係止穴２４の位置は、傾斜したドレンパン１の上がり側にある排出口２２または排出口２３に装着されたドレンキャップ７を係止可能な位置に設定されている。また、アタッチメントパネル８において、係止穴２４の上下位置には、右サイドパネル２の上下２つの雌ネジ穴１８，１８または左サイドパネル３の上下２つの雌ネジ穴１９，１９に螺止させるために、ビス１７を通す貫通穴２５と貫通穴２６が形成されている。
【００１５】
ドレンパン１の左側面壁１Ａの外面および右側面壁１Ｂの外面には、シール用弾性部材３６，３６が接着剤などで貼り着けられている。これらのシール用弾性部材３６，３６は、ドレンパン１の左側面壁１Ａと本体ケーシング３０の左サイドパネル３との間、および、ドレンパン１の右側面壁１Ｂと本体ケーシング３０の右サイドパネル２との間をそれぞれ封止する止水構造３７を構成している。すなわち、本体ケーシング３０の右サイドパネル２の内面および左サイドパネル３の内面との圧縮による力を利用し、シール用弾性部材３６の圧縮率が５０％以上となるように、ドレンパン〜サイドパネル間の隙間寸法を設定することで、気密構造をもたらしている。
【００１６】
そして、この空調用室内機では、図９〜図１２に示すように、組立時のデフォルトとして左側ドレン配管接続が初期設定され、ドレンパン１が水平軸心Ｈ２に対し左下がりに角度θぶん傾斜した姿勢となっており、ドレンパン１の右側の排出口２３にドレンキャップ７が装着されている。これにより、被空調室内に置かれた本体ケーシング３０の左側からのみドレン水が排水される初期構造となっている。すなわち、突出したドレンキャップ７を係止穴２４に嵌め込んだ状態で、アタッチメントパネル８が本体ケーシング３０の右サイドパネル２にあてがわれ、雌ネジ穴１８，１８に螺止されるビス１７，１７によって固定されることで、ドレンパン１の勾配が必然的に左下がりとなるようになっている。同時に、傾斜姿勢にあるドレンパン１がそのままに固定されることにより、ドレンパン１が出荷時にグラつくことが防止されている。
【００１７】
そして、被空調室内においてドレン排水管接続工事を行うにあたり、左側ドレン配管接続とする場合は、そのままドレンパン１の左側の排出口２２に排水管が接続される。それにより、接続作業は１工程で済むため、工事を極めて容易に行なうことができる。
【００１８】
一方、ドレン排水管接続工事を行なうにあたり、右側ドレン配管接続にしたい場合は、右サイドパネル２に取り付けていたアタッチメントパネル８を取り外したのち、ドレンパン１の右側の排出口２３から外したドレンキャップ７で左側の排出口２２を封止する。そして、ドレンパン１をビス１５，１６回りに回動させて右下がりとし、左サイドパネル３の縦長穴２１から突出したドレンキャップ７をアタッチメントパネル８の係止穴２４に挿通させる。その後、図９〜図１２に示した左下がり勾配のときと同様の手順で、ビス１７，１７を雌ネジ穴１９，１９に螺止して、アタッチメントパネル８を左サイドパネル３に取り付けることで、ドレンパン１が右下がりの状態に固定することができる。このようにして上記作業を実施した後、ドレンパン１の右側の排出口２３に排水用配管を接続することで、右側接続のドレン排水接続工事が完了する。
【００１９】
以上のように、この空調用室内機は、ドレンパン左右端部の排出口２２，２３およびこれらを封止するドレンキャップ７と、支持手段２８Ａ，２８Ｂを備えているので、支持手段２８Ａおよび２８Ｂによりドレンパン１をシーソーの様に左右いずれかの方向へ傾けることができる。そして、左右いずれかの方向に傾いて支持されたドレンパン１を、固定手段２９がその傾斜状態に固定する。従って、左側または右側への排水配管接続の作業性を大幅に改善することができる。
【００２０】
また、前記の支持手段２８Ａ，２８Ｂは、本体ケーシング３０に対しドレンパン１を略水平軸心Ｈ１回りに回動自在に支持するビス１５，１６で構成されるため、極めて簡素で安価に製造することができる。そして、傾斜したドレンパン１の上側位置にあるドレンキャップ７を係止する固定手段２９は、左右のサイドパネル２，３に形成された縦長穴２０，２１と、サイドパネル２，３に着脱自在に取り付けられるアタッチメントパネル８と、アタッチメントパネル８に形成されてドレンキャップ７を係止する係止穴２４とから構成されているので、簡素で安価な構成により固定手段を実現することが可能である。
【００２１】
尚、上記の実施形態では、ドレンパン１の左側面壁１Ａの外面および右側面壁１Ｂの外面にシール用弾性部材３６，３６を貼設した例を示したが、本発明の空調用室内機はそれに限定されるものでない。例えば、本体ケーシング３０の右サイドパネル２の内面および左サイドパネル３の内面にシール用弾性部材を貼設し、それにより、ドレンパン１の左側面壁１Ａと左サイドパネル３との間、および、ドレンパン１の右側面壁１Ｂと右サイドパネル２との間をそれぞれ封止する止水構造とすることも可能である。
【符号の説明】
【００２２】
１  ドレンパン
１Ａ  左側面壁
１Ｂ  右側面壁
２  右サイドパネル
３  左サイドパネル
４  支柱
７  ドレンキャップ
８  アタッチメントパネル
１０  熱交換器
１５  ビス（枢軸部材）
１６  ビス（枢軸部材）
１７  ビス
１８  雌ネジ穴
１９  固定用穴
２０  縦長穴
２１  縦長穴
２２  排出口
２３  排出口
２４  係止穴
２５  貫通穴
２６  貫通穴
２７  枢支穴
２８Ａ，２８Ｂ  支持手段
２９  固定手段
３０  本体ケーシング
３２  枢支穴
３３  雌ネジ穴
３４  雌ネジ穴
３６  シ−ル用弾性部材
３７  止水構造
Ｈ１，Ｈ２  水平軸心
θ  角度
【図１】
2013019631.tif 000003
【図２】
2013019631.tif 000004
【図３】
2013019631.tif 000005
【図４】
2013019631.tif 000006
【図５】
2013019631.tif 000007
【図６】
2013019631.tif 000008
【図７】
2013019631.tif 000009
【図８】
2013019631.tif 000010
【図９】
2013019631.tif 000011
【図１０】
2013019631.tif 000012
【図１１】
2013019631.tif 000013
【図１２】
2013019631.tif 000014